(57)【特許請求の範囲】
【請求項１】
ケーシングの内部に、集塵手段によって吸い込まれた塵埃を蓄える集塵室と、複数のフィルタ及び仕切り壁によって前記集塵室と仕切られた減圧室と、前記減圧室の空気を前記ケーシングの外部に排出して前記減圧室を低圧に保持する減圧手段とを備え、
前記減圧室の中央に設けられた固定管と前記ケーシングに設けた外気連通孔とを連通する第１配管、及び、一つの前記フィルタの開口部と前記固定管とを連通する第２配管を有し、
前記第２配管の前記固定管側の一端が前記固定管に対して回転自在に接続されており、前記第２配管と連通状態にある前記フィルタを順次切り替えるよう、前記第２配管を回転駆動する回転駆動機構が設けられ、
前記第２配管の前記フィルタ側の他端に、前記他端の軸心に沿って摺動自在で、且つ、前記仕切り壁に向けて付勢された補助中空部材が係止されている吸引式掃除機。
【請求項２】
前記補助中空部材の外周面に気流を受け入れる環状溝が形成されている請求項１に記載の吸引式掃除機。
【請求項３】
前記回転駆動機構による回転力に基づいて、前記補助中空部材を前記第２配管に対して強制回転させる補助回転駆動機構が設けられている請求項１または２に記載の吸引式掃除機。
【請求項４】
前記第２配管の他端に、フィルタの前記開口部の径を超える内径の拡径連通室が設けられている請求項１から３のいずれか一項に記載の吸引式掃除機。
【請求項５】
前記第２配管の他端に、少なくともフィルタの前記開口部の径と等しい幅のフランジ状カバーが設けられている請求項１から４のいずれか一項に記載の吸引式掃除機。
【発明の詳細な説明】
【技術分野】
【０００１】
本発明は、ケーシングの内部に、集塵手段によって吸い込まれた塵埃を蓄える集塵室と、複数のフィルタ及び仕切り壁によって前記集塵室と仕切られた減圧室と、前記減圧室の空気を前記ケーシングの外部に排出して前記減圧室を低圧に保持する減圧手段とを備えた引式掃除機に関する。
【背景技術】
【０００２】
この種の吸引式掃除機に関連する先行技術文献情報として下記に示す特許文献１がある。この特許文献１に記された吸引式掃除機は、吸引によって集塵室に導き入れられた空気をフィルタ経由で減圧室に供給することで、空気中の塵埃をフィルタの面に捕集し、集塵室に蓄積することができる。また、必要な時に減圧室からフィルタを通過して集塵室に向かう逆方向の気流によってフィルタの集塵室側の面に捕集された塵除を離脱させることができるので、フィルタ手段の目詰まりによる吸引力の低下を抑制できる。
【０００３】
【特許文献１】特表２００７−５１２８９６号公報（段落番号００１８、図３）
【発明の開示】
【発明が解決しようとする課題】
【０００４】
しかし、特許文献１に記された吸引式掃除機では、ブロワによって生じさせる気流の流れを、逆向きに変更することによってフィルタの逆洗を行う構成となっているため、ブロワとフィルタとを接続する導管の内部に、気流を逆転させるバルブ手段を多数設ける必要があった。そのため、吸引式掃除機の構造が複雑になり、製作コストも高くなる傾向があった。
【０００５】
そこで、本発明の目的は、上に例示した従来技術による吸引式掃除機の持つ欠点に鑑み、より簡単な構造で、フィルタの集塵室側の面に捕集された塵を離脱させることの可能な吸引式掃除機を提供することにある。
【課題を解決するための手段】
【０００６】
本発明による吸引式掃除機の第１の特徴構成は、
ケーシングの内部に、集塵手段によって吸い込まれた塵埃を蓄える集塵室と、複数のフィルタ及び仕切り壁によって前記集塵室と仕切られた減圧室と、前記減圧室の空気を前記ケーシングの外部に排出して前記減圧室を低圧に保持する減圧手段とを備え、
前記減圧室の中央に設けられた固定管と前記ケーシングに設けた外気連通孔とを連通する第１配管、及び、一つの前記フィルタの開口部と前記固定管とを連通する第２配管を有し、
前記第２配管の前記固定管側の一端が前記固定管に対して回転自在に接続されており、前記第２配管と連通状態にある前記フィルタを順次切り替えるよう、前記第２配管を回転駆動する回転駆動機構が設けられ、
前記第２配管の前記フィルタ側の他端に、前記他端の軸心に沿って摺動自在で、且つ、前記仕切り壁に向けて付勢された補助中空部材が係止されている点にある。
【０００７】
本発明の第１の特徴構成による吸引式掃除機では、一端で外気連通孔と連通した第２配管と連通状態にあるフィルタを回転駆動機構によって順次切り替えるという構成を創作したことによって、多数のバルブなどを必要としない非常に簡単な構造ながら、フィルタの集塵室側の面に捕集された塵を順に離脱させることの可能な吸引式掃除機が得られるという効果が得られる。
さらに、第２配管が一つのフィルタと連通状態にある瞬間、残りのフィルタでは、通常の集塵室から減圧室に向かう正方向の気流が維持されるので、吸引式掃除機による本来の集塵操作を継続しながらフィルタ手段の除塵操作を行うことができる。尚、フィルタ手段からの除塵のためにフィルタ手段の反トラップ側を大気開放すると、減圧室の負圧レベルは若干低下するが、フィルタ手段の数が多ければ、前記大気開放による減圧室の負圧レベル低下は少なくなり、吸引操作が安定する。
【０００８】
【０００９】
また、複数のフィルタ、仕切り壁、及び、第１配管は固定式とし、回転駆動機構によって第２配管のみを複数のフィルタの開口部に沿って回転させる構成とすれば良いので、掃除機を小型化し易い。
【００１０】
【００１１】
さらに、常に第２配管の他端が仕切り壁に押し付けられた状態で保持されることで、配管部材の他端と仕切り壁との間のギャップが閉鎖されるため、ケーシングに形成された外気連通孔から進入した空気がより確実にフィルタ手段の開口部に供給され、塵埃の逆洗が効果的に行われる。
【００１２】
本発明の他の特徴構成は、補助中空部材の外周面に気流を受け入れる環状溝が形成されている点にある。
【００１３】
本構成であれば、貫通孔から入った空気のうち配管部材と補助中空部材との間の摺接面に進入した空気が（ラビリンス状の）環状溝に閉じ込められる現象によって同摺接面を経て進入して減圧室へと漏れる空気の流れが抑制されるので、除塵機構に基づく減圧室の減圧状態が低下し難くなる。
【００１４】
本発明の他の特徴構成は、前記回転駆動機構による回転力に基づいて、前記補助中空部材を前記第２配管に対して強制回転させる補助回転駆動機構が設けられている点にある。
【００１５】
本構成であれば、補助中空部材が配管部材に対して強制回転させられることで、補助中空部材を常に配管部材の他端に対して、ひっかかり等のない自由に平行移動可能な状態に維持し易い。
【００１６】
本発明の他の特徴構成は、前記第２配管の他端に、フィルタの前記開口部の径を超える内径の拡径連通室が設けられている点にある。
【００１７】
本構成であれば、１つのフィルタ手段と大気開放用の貫通孔との連通状態（連通状態が続く時間長さ）を長引かせることができるので、フィルタ手段に対する除塵能力を高めることができる。
【００１８】
本発明の他の特徴構成は、前記第２配管の他端に、少なくともフィルタの前記開口部の径と等しい幅のフランジ状カバーが設けられている点にある。
【００１９】
本構成であれば、配管部材の他端がフィルタ手段の反トラップ側に対して一部だけ重なり合った角度位相における空気漏れをフランジ状カバーによって防ぐことができるので、除塵機構によって減圧室の減圧状態が低下する現象が起き難くなる。
【発明を実施するための最良の形態】
【００２０】
以下に本発明による最良の実施形態について図面を参照しながら説明する。
図１から図６に示す吸引式掃除機４０は、フロアに載置される複数のキャスタ４を備えた有底円筒状の第１ケーシング１、第１ケーシング１の上部に着脱自在に設置される有底円筒状の第２ケーシング２、及び、第２ケーシング２の上部に着脱自在に設置される円形ドーム状の第３ケーシング３を備える。第１ケーシング１と第２ケーシング２と第３ケーシング３は上下に延びた共通の軸心Ｘを備える。
【００２１】
図１と図２に示すように、第１ケーシング１と第２ケーシング２とは、トグルラッチ式のクランプＤによって着脱自在に連結されている。また、第１ケーシング１と第２ケーシング２とは、第１ケーシング１の外周部下端に取り付けられたゴムやエラストマー製のＯリング（図３を参照）によって、連結時には気密状に保持されている。第２ケーシング２と第３ケーシング３も同じ要領で連結されている。
【００２２】
最下層の第１ケーシング１の側面には、貫通孔１Ｈが設けてあり、ここに可撓性の吸引用ホース５を取り付けるためのボス部７が突出形成されている。吸引用ホース５の先端には、フロア上などを滑らせて塵埃を吸い込ませるために開口したノズル６（集塵手段の一例）が取り付けられている。第１ケーシング１の内部は吸い込まれた塵埃を収集する集塵室Ｒ１を構成している。因みに、第２ケーシング２の内部は、第３ケーシング３に設けられたファンユニット３Ｆ（減圧手段の一例）によって真空状態または減圧状態とされる減圧室Ｒ２を構成している。
【００２３】
第２ケーシング２の底面には、集塵室Ｒ１と減圧室Ｒ２とを互いに隔絶する平板状の隔壁８（仕切り壁の一例）が設けられている。図４に示すように、隔壁８には複数（ここでは６個）の貫通孔８Ｈが軸心Ｘを中心とする仮想円Ｃに沿って円周状に等間隔で配列されている。各貫通孔８Ｈの下縁部には、有底で概して円筒状のフィルタ９が下方の集塵室Ｒ１に向かって延出するように取り付けられている。フィルタ９は、開放された上端に形成された円板状のフランジ部９ａと、フランジ部９ａから下方に延びた有底のフィルタ本体部９ｂとからなる。尚、隔壁８に形成する貫通孔８Ｈの内径はフィルタ本体部９ｂの内径と略同一としてある。
【００２４】
図３と図６に示すように、各フィルタ９は、隔壁８の下方に位置する補助円板１０によって、貫通孔８Ｈの下縁部に押し付けられた形態で固定されている。このために、補助円板１０には、フランジ部９ａよりも小径で、フィルタ本体部９ｂよりも大径の６個の貫通孔１０Ｈが形成されている。フィルタ９は無数の微細な気孔を備えた樹脂製フィルタであり、図４及び図５に示すように、その見掛け比表面積を高めるために襞状の断面形状を備える。
【００２５】
図３に示すように、第３ケーシング３は、第２ケーシング２の上端開口部２ａを閉鎖する容器状を呈し、その下面には吸引口３ａ、側面には排出口３ｂが形成され、内部には、減圧室Ｒ２の空気を吸引口３ａから吸引し、排出口３ｂから上方に排出するブロワ状のファンユニット３Ｆが設けられている。このファンユニット３Ｆの働きで減圧室Ｒ２は真空状態になるため、フィルタ９の気孔を通過して集塵室Ｒ１から減圧室Ｒ２に向かう正方向の気流が形成される。この気流によって、塵埃がノズル６から吸引用ホース５を経て集塵室Ｒ１に蓄積される。
【００２６】
フィルタ９の気孔よりも大きな塵埃は落下するが、気孔に近似したサイズの細かい粒子は、フィルタの外表面（トラップ面）に付着（または吸着）され、吸引力を低下させる目詰まりの原因となる。
第２ケーシング２には、このようにフィルタ９の外表面に付着した粒子を、フィルタ９の気孔を吸引時の正方向とは逆方向に通過する気流によって離脱させる除塵機構１１を備えている。
【００２７】
除塵機構１１はフィルタ９の反トラップ側（トラップ面の裏側と連通するフィルタ９の内部空間）を大気開放する手段によって構成されている。
より具体的には、図３に示すように、除塵機構１１は、第２ケーシング２の側壁に大気と連通するように形成された外気連通孔２Ｈ、一端で外気連通孔２Ｈに接続された可撓性ホース１３（第１配管の一例）、可撓性ホース１３との連通状態を維持しつつ軸心Ｘ回りで回転自在に支持された中空の回転中空体２０（第２配管の一例）、隔壁８の６個の貫通孔８Ｈが順番に交互に外気連通孔２Ｈと連通されるように回転中空体２０を回転駆動させる駆動機構２１を備える。
第２ケーシング２の外気連通孔２Ｈには円筒状のスリーブ１２が係入されており、可撓性ホース１３はこのスリーブ１２に外嵌接続されている。
【００２８】
図６に示すように、回転中空体２０は、軸心Ｘに沿って延びた第１縦管１６（第１中空部の一例）と、第１縦管１６から径方向外向きに延設された横管１７（第２中空部の一例）と、横管１７の先端から下方に延びた第２縦管１８（第２中空部の一例）とを備える。第２縦管１８は閉鎖された上端と、気流出力部１８ａとして開放された下端とを備え、第２縦管１８の軸心は、フィルタ９を挿通した６個の貫通孔８Ｈの中心が描く仮想円Ｃの位置と一致している。可撓性ホース１３、第１縦管１６、横管１７、及び、第２縦管１８はいずれも、第２ケーシング２の外気連通孔２Ｈと連通する配管部材の一例として設けられている。
【００２９】
第１縦管１６の上端付近には、可撓性ホース１３の他端と連通した固定縦管１５（分岐部の一例）が相対回転自在に支持されている。固定縦管１５の内周面と第１縦管１６の外周面との間には厚さ数ｍｍの環状通気空間Ｓが設けられており、同時に、第１縦管１６の側面の一部には複数の貫通孔１６Ｈ（図の例では４個）が一定間隔で形成されている。したがって、可撓性ホース１３の内部と第１縦管１６の内部とは、これらの貫通孔１６Ｈと環状通気空間Ｓとを介して互いに空気連通している。
【００３０】
駆動機構２１を構成する電動モータＭが、減圧室Ｒ２の内面に水平に延設されたアングル２２に支持されており、第１縦管１６の上端は、電動モータＭの回転軸Ｍａに相対回転不能に連結されている。
第１縦管１６の下端は、隔壁８の上面に固定されたボス部２３にボールベアリング２４などを介して回転自在に支持されている。
回転中空体２０は、電動モータＭによって例えば約２０〜１００ｒｐｍの範囲、より好ましくは約６０ｒｐｍの一定速度で回転駆動される。
【００３１】
駆動機構２０によって回転中空体２０が回転駆動されると、第２縦管１８の下端（大気流出力部１８ａ）は、６個のフィルタ９の反トラップ側の列に沿って回転駆動されるので、個々のフィルタ９の反トラップ側と順番に断続的に対向する。その結果、第３中空管１８の下端（大気流出力部１８ａ）が一つのフィルタ９の反トラップ側と対向した瞬間に、フィルタ９の内部空間の負圧の作用によって、外気連通孔２Ｈから一定量の空気が吸入されて、フィルタ９の内部空間に送り込まれる。この送り込まれた空気は、同フィルタ９の外側の負圧の作用によって、フィルタ９の気孔を吸引時とは逆向きに通過する。この逆向きの空気通過の際に付着粒子の分離（いわゆる逆洗）が行われ、目詰まりが防止される。
【００３２】
尚、第２縦管１８の下端（第２中空部の他端の一例）の内側には、両端が開放された樹脂製の可動スリーブ１９が第２縦管１８に対して上下に相対移動自在に係止されている。可動スリーブ１９は、自重によってその下端が平板状の隔壁８の上面に軽く押し付けられた状態で保持されることで、第２縦管１８の下端と隔壁８との間に存在するギャップを閉鎖する機能を果たす。可動スリーブ１９の外周面には２本の環状溝１９Ｃが形成されている。これらの環状溝１９Ｃは、内部に空気を閉じ込めることによって、可動スリーブ１９の第２縦管１８に対する相対移動を円滑にすると同時に第２縦管１８と可動スリーブ１９との間隙から空気流出を抑制する働きをする。可動スリーブ１９の下端の内径は、隔壁８に形成された貫通孔８Ｈと同等か、貫通孔８Ｈよりも僅かに大きく形成されている。
【００３３】
〔別実施形態〕
〈１〉図７及び図８に例示した吸引式掃除機の実施形態では、除塵機構１１の構成に数点の変形が加えられている。ここでは、第２縦管１８に対して相対移動自在に係止された可動スリーブ３１は、その下端から下方に延出した拡径スリーブ３２を備えている。拡径スリーブ３２は、１つのフィルタ９の反トラップ側の開口径の２倍を超える内径を備えた拡径連通室を形成するので、１つのフィルタ９と大気開放用の外気連通孔２Ｈとの連通状態（連通状態が続く時間長さ）を長引かせることができ、フィルタ９の内部空間に逆流する空気量が増すので、結果的にフィルタ９に対する逆洗能力が高められる。
【００３４】
さらに、拡径スリーブ３２の下端からは円盤状のフランジ状カバー３３が延出している。フランジ状カバー３３の幅はフィルタ９の反トラップ側の開口径を僅かに超える寸法に設定されている。フランジ状カバー３３の下面の全面には樹脂板３３ａが敷設されており、可動スリーブ３１の自重の作用で、樹脂板３３ａは隔壁８の上面に軽く押し付けられた状態に維持される。フランジ状カバー３３は、第２縦管１８の他端がフィルタ９の反トラップ側に対して一部だけ重なり合った角度位相における第２縦管１８の内部と減圧室Ｒ２との連通状態を規制することで、除塵機構によって減圧室Ｒ２の減圧状態が空気漏れによって低下する現象を抑制し、また、除塵機構１１による除塵効果を高めることができる。
【００３５】
また、フランジ状カバー３３の外周には、径方向外向きに延びた複数の係合突起３４が設けられている。そして、隔壁８の上面の数箇所には、係合突起３４と係合可能な係合ピン３６が軸心Ｘを中心とする円周に沿って立設されている。電動モータＭの駆動力によって可動スリーブ３１が第２縦管１８と共に公転運動を行うと、係合突起３４のいずれかが固定された係合ピン３６によって蹴られることで、可動スリーブ３１が第２縦管１８に対して定期的に強制相対回転をさせられる。その結果、可動スリーブ３１が第２縦管１８の内面などに引っ掛かって動かなくなり、フランジ状カバー３３と隔壁８の上面との間に間隙が形成される現象が抑制される。
【００３６】
尚、図７及び図８に例示した吸引式掃除機５０に採用されている複数の構成の一部を略し、他の構成のみを採用することも可能である。例えば、拡径連通室を略して円盤状のフランジ状カバー３３と可動スリーブ３１の強制相対回転機構とを備えた構成、円盤状のフランジ状カバー３３を略して拡径連通室可動スリーブ３１の強制相対回転機構とを備えた構成、或いは、可動スリーブ３１の強制相対回転機構を略して拡径連通室と円盤状のフランジ状カバー３３とを備えた構成とすることも可能である。或いは、拡径連通室、円盤状のフランジ状カバー３３、可動スリーブ３１の強制相対回転機構のいずれか一つのみを備えた構成とすることも可能である。
【００３７】
〈２〉可動スリーブ１９の内周面に軸心に対してピッチ状の傾斜を付けられた複数のブレードを設けることで、可動スリーブ１９がフィルタ９に向かって流入する空気の流れによって風車状に回転駆動される構成としても良い。
【００３８】
〈３〉以上の各実施形態において、回転中空体２０の回転駆動中における、第２縦管１８の他端がフィルタ９の反トラップ側に対して一部だけ重なり合った角度位相では、瞬間的に第２縦管１８の内部と減圧室Ｒ２との連通状態が生じるため、減圧室Ｒ２の減圧状態が僅かに低下する現象が起きる。この現象を抑制する機構として、可撓性ホース１３への大気の流入を可能な状態と不能にした状態との間で切り換える電磁弁式のシャッタ機構と、第２縦管１８の他端の軸心がフィルタ９の反トラップ側の軸心と一致するタイミングを判定する角度検出機構と、同角度検出機構によって判定されたタイミングにのみ前記シャッタ機構を開放状態に切り換える制御装置を設けることができる。前記シャッタ機構は、可撓性ホース１３が接続されたスリーブ１２の内部や回転中空体２０の内部などに設けることができる。角度検出機構としては、例えば第１縦管１６の上端面などに、フィルタ９の数と同数の接点が円周状に配置された回転センサを設け、この回転センサから出力される矩形信号に基づいて前記シャッタ機構をＯＮ／ＯＦＦ制御すれば良い。
【００３９】
〈４〉図９に例示した吸引式掃除機の実施形態では、固定縦管１５の内周面と第１縦管１６の外周面との間の環状通気空間を無くし、固定縦管１５の内周面と第１縦管１６の外周面とが密着しながら相対回転するように構成してある。第１縦管１６の側面には、フィルタ９と同数の貫通孔４６Ｈがフィルタ９と一致した角度で形成されている。したがって、第２縦管１８の中心がフィルタ９の反トラップ側の中心と一致した角度位相においてのみ、可撓性ホース１３の内部と第１縦管１６の内部とが連通状態になる。この構成では、第２縦管１８の他端が、隣接する２つのフィルタ９の反トラップ側の中間位置付近に位置する時の、第２縦管１８の他端と隔壁８の上面との間隙から減圧室Ｒ２への空気漏れを防止できる。さらに、第２縦管１８の他端がフィルタ９の反トラップ側に対して一部だけ重なり合った角度位相における第２縦管１８の内部と減圧室Ｒ２との連通状態を防ぐために、上述のフランジ状カバー３３を設けることも可能である。
【００４０】
〈５〉図１０及び図１１に要部を例示する吸引式掃除機６０のように、隔壁８の上面に垂直に立設した円筒状の補助側壁２８を設け、この補助側壁２８に形成した複数の貫通孔２８Ｈを各フィルタ９の反トラップ側と接続する中空エルボ部材２９を設け、モータＭによって軸心Ｘ回りで回転駆動される回転中空体２０の横管１７の先端が補助側壁２８の内面と対向するように構成することも可能である。この構成でも、複数のフィルタ９を備え、除塵機構は、配管部材の他端をフィルタ９の反トラップ側に一定のインターバルで交互に繰り返し連通させる機構が実現されている。
【００４１】
〈６〉上記の実施形態とは逆に、外気連通孔２Ｈに一端で接続された可撓性ホース１３の他端を、仮想円Ｃと一致する位置で、隔壁８の上面と対向するように固定配置しておき、複数のフィルタ９を取り付けた隔壁８が軸心Ｘ回りにモータなどで回転駆動されることで、フィルタ９内に順番に大気が流入する構成とすることも可能である。
【００４２】
〈７〉上記の実施形態では、吸引式掃除機４０のファンユニット３Ｆを駆動させている間は回転中空体２０が常に回転駆動されるように構成されているが、フィルタ９の逆洗を必要な時期にのみ実施可能とする駆動スイッチを設けても良い。この場合、第２縦管１８の回転位相が２つのフィルタ９の中間位置に位置決めされた状態で回転中空体２０が停止するようにモータ制御を行うと良い。また、６つのフィルタ９の平均的な目詰まり状態を判定する手段として、ファンユニット３Ｆによって形成される気流の速度または流量を判定可能なセンサを第３ケーシング３の下面の吸引口３ａ付近などに設け、このセンサによる判定結果に基づいて逆洗を必要な時期を判断し、自動的に回転中空体２０の回転駆動をＯＮ／ＯＦＦ操作する制御装置を設けることができる。
【００４３】
〈８〉図１から図６の実施形態では、回転中空体２０を一定速度で連続的に回転駆動させる構成として解説したが、逆洗効果を高めるために、例えば図２に示す第２縦管１８の下端が一つのフィルタ９の反トラップ側と対向する角度位置で回転中空体２０を一定時間だけ停止させ、その後、次のフィルタ９の反トラップ側に向かって進むように、不連続的に回転駆動させる構成しても良い。このためには、例えば第１縦管１６の上端面などに、フィルタ９の数と同数の接点が円周状に配置された回転センサを設け、この回転センサから出力される矩形信号と、別途に設けたタイマからの信号に基づいてモータＭの駆動をＯＮ／ＯＦＦ制御すれば良い。
【００４４】
〈９〉以上の各実施形態において、外気連通孔２Ｈから第２縦管１８の先端まで延びる流路の内部に空気の流速を判別する流速センサ（不図示）などを配置し、各フィルタの状態（目詰まりの程度、亀裂の有無など）をチェックする機能を持たせても良い。
また、この構成を、上述の、第２縦管１８の下端がフィルタ９と対向する位置で一定時間停止される不連続回転の構成と組み合わせることで、各フィルタの通気効率のチェック結果に応じて停止時間を変更する制御が行われる形態とすることが可能である。
すなわち、複数のフィルタ９における空気の流速の平均値に基づいて、適切な停止時間が決定される形態としても良く、或いは、通気効率が低いと判定されたフィルタ９に対して他よりもより長い時間にわたって逆洗操作が掛けられる形態としても良い。
【００４５】
〈１０〉以上の実施形態ではファンユニット３Ｆとして減圧室（第２ケーシング２）の上に一体的に設置してある吸引手段を、減圧室と分離して（例えば吸引式掃除機を用いる部屋とは別室などでも良い）配置しておき、減圧室と配管（ホースなど）で接続しても良い。
【図面の簡単な説明】
【００４６】
【図１】本発明による吸引式掃除機の斜視図
【図２】図１の吸引式掃除機の分解斜視図
【図３】図１の吸引式掃除機の要部の一部破断側面図
【図４】図１の吸引式掃除機の第２ケーシングの平面図
【図５】図１の吸引式掃除機の第２ケーシングの一部破断底面図
【図６】図１の吸引式掃除機に設けられた除塵機構の破断側面図
【図７】本発明の別実施形態による吸引式掃除機の要部平面視図
【図８】図７の吸引式掃除機の要部の一部破断側面図
【図９】本発明の別の実施形態による吸引式掃除機の一部破断平面図
【図１０】本発明のさらに別の実施形態による吸引式掃除機の要部斜視図
【図１１】図１０の吸引式掃除機の要部の一部破断平面図
【符号の説明】
【００４７】
Ｃ  仮想円
Ｍ  電動モータ
Ｓ  環状通気空間
Ｒ１  集塵室
Ｒ２  減圧室
１  第１ケーシング
１Ｈ  貫通孔
２  第２ケーシング
３  第３ケーシング
３Ｆ  ファンユニット
５  吸引用ホース
８  隔壁
８Ｈ  貫通孔
９  フィルタ
１１  除塵機構
１３  可撓性ホース（第１配管の一例）
１６  第１縦管（第２配管の一例）
１５  固定縦管（分岐部の一例）
１７  横管（第２配管の一例）
１８  第２縦管（第２配管の一例）
１８ａ  大気流出力部
１９  可動スリーブ
１９Ｃ  環状溝
２０  回転中空体
２１  駆動機構
２３  ボス部
２８  補助側壁
２８Ｈ  貫通孔
２９  中空エルボ部材
３１  ロッド
４０  吸引式掃除機
【図１】
0005270940.tif 000002
【図２】
0005270940.tif 000003
【図３】
0005270940.tif 000004
【図４】
0005270940.tif 000005
【図５】
0005270940.tif 000006
【図６】
0005270940.tif 000007
【図７】
0005270940.tif 000008
【図８】
0005270940.tif 000009
【図９】
0005270940.tif 000010
【図１０】
0005270940.tif 000011
【図１１】
0005270940.tif 000012